(57)【要約】【課題】  １パス特色印刷によって、特色記録剤の載り量が十分になる印刷データを作成するための画像処理装置が提供されていなかった。【解決手段】  出力対象の画像データにおいて特色記録剤を用いて印刷を行う領域を指定する指定手段と、前記指定手段により指定された領域に対して、前記特色記録剤を用いた印刷を行った場合の前記特色記録剤の載り量を取得する取得手段と、前記取得手段により取得した前記特色記録剤の載り量が１００％になる場合は第１の表示形態を用い、１００％未満になる場合は第２の表示形態を用いることを決定する決定手段と、前記指定手段にて指定された領域を前記決定手段にて決定された表示形態により表示する表示手段を有することを特徴とする画像処理装置。【選択図】  図３
2014017576.tif 000002
【特許請求の範囲】
【請求項１】
出力対象の画像データのうち、特色記録剤を用いて印刷を行う領域を指定する指定手段と、
前記指定手段により指定された領域に対して、前記特色記録剤を用いた印刷を行った場合の前記特色記録剤の載り量を取得し、前記取得した前記特色記録剤の載り量が１００％になる場合は第１の表示形態を用い、１００％未満になる場合は第２の表示形態を用いることを決定する決定手段と、
前記指定手段にて指定された領域を、前記決定手段にて決定された表示形態により表示する表示手段を有することを特徴とする画像処理装置。
【請求項２】
請求項１に記載の画像処理装置であって、前記決定手段は、前記特色記録剤の載り量が１００％未満になる場合、前記特色記録剤の載り量の度合いに応じて、複数の前記第２の表示形態を用いることを決定することを特徴とする画像処理装置。
【請求項３】
請求項１に記載の画像処理装置であって、出力対象の画像データにおいて特色記録剤を用いて印刷を行う領域を指定する指定手段と、前記指定手段による領域の指定において、その位置に前記特色記録剤を用いて印刷を行う領域を付加した場合の前記特色記録剤の載り量を取得し、前記表示形態の決定手段にて決定された表示形態によって、前記指定中のオブジェクトを表示する表示手段を有することを特徴とする画像処理装置。
【請求項４】
請求項３記載の画像処理装置であって、前記指定手段では、特色記録剤を用いて印刷を行う領域をドラッグ＆ドロップの操作で指定することを特徴とする画像処理装置。
【請求項５】
請求項１に記載の画像処理装置であって、前記指定手段において、オブジェクトをドロップした位置における前記特色記録剤の載り量が１００％未満であった場合に、前記特色記録剤の載り量が１００％になるもっとも近傍の位置に自動的に前記オブジェクトを移動させる移動手段を有することを特徴とする画像処理装置。
【請求項６】
請求項１に記載の画像処理装置であって、特色記録剤の印刷が可能な複数種類の画像形成装置が接続されている場合に、前記特色記録剤を用いて印刷を行う領域に対して、前記複数種類の画像形成装置のそれぞれに対する、前記特色記録剤の載り量の一覧を表示する表示手段を有することを特徴とする画像処理装置。
【請求項７】
請求項１に記載の画像処理装置であって、前記特色記録剤とは、透明記録剤であることを特徴とする画像処理装置。
【請求項８】
出力対象の画像データのうち、特色記録剤を用いて印刷を行う領域を指定する指定ステップと、
前記指定ステップにより指定された領域に対して、前記特色記録剤を用いた印刷を行った場合の前記特色記録剤の載り量を取得し、前記特色記録剤の載り量が１００％になる場合は第１の表示形態を用い、１００％未満になる場合は第２の表示形態を用いることを決定する決定ステップと、
前記指定された領域を、前記決定ステップにて決定された表示形態により表示する表示ステップを有することを特徴とする画像処理方法。
【請求項９】
請求項８に記載の画像処理方法であって、前記決定ステップは、前記特色記録剤の載り量が１００％未満になる場合、前記特色記録剤の載り量の度合いに応じて、複数の前記第２の表示形態を用いることを決定することを特徴とする画像処理方法。
【請求項１０】
請求項８に記載の画像処理方法であって、出力対象の画像データにおいて特色記録剤を用いて印刷を行う領域を指定する指定ステップと、前記指定ステップによる領域の指定において、その位置に前記特色記録剤を用いて印刷を行う領域を付加した場合の前記特色記録剤の載り量を取得し、前記表示形態の決定ステップにて決定された表示形態によって、前記指定中のオブジェクトを表示する表示ステップを有することを特徴とする画像処理方法。
【請求項１１】
請求項１０記載の画像処理方法であって、前記指定ステップでは、特色記録剤を用いて印刷を行う領域をドラッグ＆ドロップの操作で指定することを特徴とする画像処理方法。
【請求項１２】
請求項８に記載の画像処理方法であって、前記指定ステップにおいて、オブジェクトをドロップした位置における前記特色記録剤の載り量が１００％未満であった場合に、前記特色記録剤の載り量が１００％になるもっとも近傍の位置に自動的に前記オブジェクトを移動させる移動ステップを有することを特徴とする画像処理方法。
【請求項１３】
請求項８に記載の画像処理方法であって、特色記録剤の印刷が可能な複数種類の画像形成装置が接続されている場合に、前記特色記録剤を用いて印刷を行う領域に対して、前記複数種類の画像形成装置のそれぞれに対する、前記特色記録剤の載り量の一覧を表示する表示ステップを有することを特徴とする画像処理方法。
【請求項１４】
請求項８に記載の画像処理方法であって、前記特色記録剤とは、透明記録剤であることを特徴とする画像処理方法。
【請求項１５】
コンピュータを、請求項１〜７のいずれか１項に記載の画像処理装置に記載の各手段として機能させるためのコンピュータプログラム。
【発明の詳細な説明】
【技術分野】
【０００１】
本発明は、画像処理装置に関するものである。特に、特色記録剤を用いた印刷を実行でき、この印刷実行時に出力する画像を事前にプレビューすることができる画像処理装置に関するものである。
【背景技術】
【０００２】
一般に、ホストコンピュータから供給される描画データを取り込み、この描画データに基づいて画像形成を行う装置として画像処理装置がある。この画像処理装置における印刷方式としては、例えば電子写真方式がある。この電子写真方式の印刷装置では、帯電器で感光ドラムを帯電させ、画像データに応じた書き込み光で感光ドラム上に静電潜像を形成する。この静電潜像に対して現像器でトナーを付着させて現像し、可視像とする。次に、トナー像を感光ドラムから用紙に転写し、熱や圧力で用紙上に定着する。
【０００３】
こうした電子写真方式の画像処理装置において、プロセスカラーといわれる基本の印刷色であるＣＭＹＫ（シアン、マゼンタ、イエロー、ブラック）トナーを使用する。これに加えて、印刷される画像の一部または全部に特色記録剤として、透明色のトナーを印刷することが行われている（特許文献１）。
【０００４】
特色記録剤には、ＣＭＹＫトナー以外のトナーであるグリーン、オレンジ、金銀、透明トナーが含まれる。このうち透明トナーとは、透過性がある画像を付加する特徴を有する透明記録剤である。透明トナーを用いると、有色トナーのみ用いて行われた印刷とは異なった光沢感や、つや感、マット感等の特殊な質感を表現することができる。また、透明トナーの印刷方式としては、全面に一律に印刷し、前記質感を全面に適用する方式が一般的であるが、それ以外に、部分的に印刷する方式の需要も高まりつつある。
【０００５】
また、特色記録剤を用いて印刷を行う前に、予め印刷出力物のプレビューを提供する装置も提案されている（特許文献２）。特許文献２では、特色記録剤を使用して、印刷データを印刷出力する際に、予め特色記録剤を用いて印刷出力される部分を検出し、検出された部分を特定の色やパターンでプレビュー表示する。さらに、特許文献２においては、特色記録剤のプレビュー表示はＯＦＦ／Ａｕｔｏ／指定色を設定可能としている。例えば、ＯＦＦ設定の場合は表示せず、Ａｕｔｏ設定の場合は特色記録剤が載る箇所の色を検出してその色と異なる色を特色部分としてプレビュー表示する機能を有する。また、指定色設定の場合、ユーザが指定した色で特色記録剤が載る位置を表示する。
【０００６】
また、電子写真方式の印刷装置は、１回あたりの印刷プロセスにおいて、そのトナーの載り量の総量に上限値が設けられている（これを「載り量制限」という）。よって、プロセスカラーの記録剤（例えばＣＭＹＫトナー）より優先順位が低く設定されている特色記録剤（例えば透明トナー）は、下地のプロセスカラーの記録剤の載り量によっては前記上限値に抵触して十分な載り量にならない可能性がある。そのため、特許文献３では、プロセスカラーの合計の載り量と特色記録剤の合計の載り量が、印刷装置で印字可能な記録剤の載り量の上限値を超えているかどうか判定し、超えている場合は、印刷プロセスを２回に分割し、特色記録剤が十分に載るようにする。即ち、まず、プロセスカラーのみの印刷ジョブを投入し、その印刷物をユーザに給紙部にセットさせるように促し、次に特色のみの印刷ジョブを投入する。
【０００７】
なお、１回の印刷ジョブでプロセスカラーと特色を印刷する印刷方法を「１パス特色印刷」とする。また前記記載のように、プロセスカラーと特色の印刷を分割して２回搬送にする特色の印刷方法を「２パス特色印刷」とする。
【先行技術文献】
【特許文献】
【０００８】
【特許文献１】特開２００６−２５１７２２号公報
【特許文献２】特開２００８−１４５７８４号公報
【特許文献３】特開２００９−２７１２５４号公報
【発明の概要】
【発明が解決しようとする課題】
【０００９】
１パス特色印刷によって、特色記録剤を用いた印刷を行った場合、特色記録剤の載り量が常に一定であれば、その特色記録剤を載せる箇所を表現するためのプレビューは、特許文献２に開示される方法を用いればよい。すなわち、図１の１０１、１０２、１０３で示すように、所定の色やパターンで表示することで、ユーザは特色記録剤の載った状態の仕上がりを十分想像できる。しかし、１パス特色印刷では、特許文献３に開示されるように、プロセスカラーの記録剤と特色記録剤の合計の載り量が上限値に抵触し、特色記録剤が十分に載らない場合もある。そのため、特許文献３では、特色記録剤が十分に載らない場合に、プロセスカラーの印刷ジョブと、特色の印刷ジョブを分割して送信する手段を提供している。しかし、印刷ジョブを分割することによって、プロセスカラーで出力した印刷物を一旦取得してから、それを再び印刷装置の給紙部にセットし、今度は特色のみで印刷して最終印刷物を得るといった煩わしさが発生してしまう。また、１回の印刷ジョブごとに一定の課金が発生してしまう印刷システム上においては、印刷ジョブが分割されて２回の印刷ジョブになってしまうことによって、前記課金が倍になる場合もある。以上を鑑み、１回の印刷ジョブで特色記録剤を十分に載せて印刷するための手段が求められている。
【００１０】
本発明では、特色記録剤を用いて印刷を行う際に、この印刷を行うのに必要な印刷データの編集作業を行う場合に用いるプレビューを提供することを目的とする。さらに、特色記録剤を用いて印刷をする部分に対してユーザが、「１パス特色印刷」で特色記録剤の載り量が十分になるかを確認しながら編集作業が行えるプレビューを提供することを目的とする。
【課題を解決するための手段】
【００１１】
本願における画像処理装置は、出力対象の画像データにおいて特色記録剤を用いて印刷を行う領域を指定する指定手段と、指定手段により指定された領域に対して、特色記録剤を用いた印刷を行った場合の特色記録剤の載り量を取得する取得手段と、取得手段により取得した特色記録剤の載り量が１００％になる場合は第１の表示形態を用い、１００％未満になる場合は第２の表示形態を用いることを決定する決定手段と、指定手段にて指定された領域を決定手段にて決定された表示形態により表示する表示手段を有することを特徴とする。
【発明の効果】
【００１２】
本発明によれば、１パス特色印刷を行うことを前提とした印刷データの編集作業を行う場合において、特色記録剤を用いた印刷をする箇所に対して特色記録剤の載り量が上限値に抵触するか否かを確認しながら編集作業を行うことが可能である。また、特色記録剤の載り量が上限値に抵触した場合でも、制限される特色記録剤の載り量の度合いを確認しながら編集作業を行うことが可能である。
【図面の簡単な説明】
【００１３】
【図１】発明が解決しようとする課題の例を示した図である。
【図２】ハードウェア構成の例を示した図である。
【図３】画像処理装置の処理手順を示したフローチャートである。
【図４】ユーザーインターフェースの例を示した図である。
【図５】特定の画素から、トナーの載り量に変換した例を示した図である。
【図６】ユーザーインターフェースの例を示した図である。
【図７】ユーザーインターフェースの例を示した図である。
【図８】画像処理装置の処理手順を示したフローチャートである。
【図９】プリンターごとの最大載り量がわかるプロファイルの例を示した図である。
【図１０】ユーザーインターフェースの例を示した図である。
【図１１】ユーザーインターフェースの例を示した図である。
【図１２】光の反射に関して、その模式を示した図である。
【図１３】ユーザーインターフェースの例を示した図である。
【発明を実施するための形態】
【００１４】
以下、本発明を実施するための形態について図面を用いて説明する。なお、以下の実施形態は特許請求の範囲に係る本発明を限定するものではなく、また以下で説明されている特徴を組み合わせたもののすべてが本発明の解決手段に必須のものとは限らない。
【００１５】
また、特色記録材として、透明トナーを用いるが、これに限られたことはなく、１パス特色印刷を行う場合に特色記録剤の載り量制限が発生する特性を持つ記録剤であればよい。
【００１６】
なお、以下の画像処理装置において特色記録剤の載り量の指定は、特色記録剤を載せる（１００％）、載せない（０％）の２種類である。しかし、前記特色記録剤の載り量は、載り量制限の上限値を超えないように０％〜１００％の間で調整されるものとする。
【００１７】
［実施形態１］
＜画像処理装置の構成例＞
図２は、本実施形態の画像処理装置の構成例を示すブロック図である。２０１は演算制御用のＣＰＵである。２０２はデータ及び指示入力のためのヒューマンインターフェースデバイス（ＨＩＤ）であり、キーボードやマウス、タッチパネルといったものが相当する。２０３は画像処理装置の画像を表示するディスプレイである。２０４はプリンターごとの最大載り量がわかるプロファイル等、あらゆるデータを格納するハードディスクである。２０５は装置を制御するプログラムや必要な情報をあらかじめ記憶するＲＯＭである。２０６は様々なワークエリアとして利用されるＲＡＭである。２０７は本実施形態の画像処理装置の処理部である。
【００１８】
なお、画像処理装置の処理部２０７は、ＲＯＭ２０５に格納されたコンピュータプログラムをＣＰＵ２０１が実行することで実現される。すなわち、コンピュータプログラムは、コンピュータを、画像処理装置の処理部２０７として機能させることができる。なお、コンピュータプログラムが記憶されるコンピュータ読み取り可能な記憶媒体は、ＲＯＭ２０５に限るものではなく、例えばハードディスク２０４であってもよい。
【００１９】
＜画像処理装置の動作例＞
図３は、本実施形態に係る画像処理装置を表すフローチャートであり、本画像処理装置のユーザはディスプレイ２０３を確認しながら、ヒューマンインターフェースデバイス２０２を操作することで処理を実行する。
【００２０】
本画像処理装置には、図４の４０１に示すようなウィンドウとインターフェースが用意されている。まず、ＰＤＦ（Ｐｏｒｔａｂｌｅ  Ｄｏｃｕｍｅｎｔ  Ｆｏｒｍａｔ。ＰＤＦはアドビ社の登録商標）などの描画可能な電子文書データを取り込むことで、４０２の領域にその描画可能な電子文書データを表示して開始する。なお、ＰＤＦデータに限らず、描画可能な電子文書データであればＰＤＦデータ同様に、本画像処理装置に取り込めることはいうまでもない。また、描画可能な電子文書データは、プロセスカラーであるＣＭＹＫの描画データに変換しておく。これは、ＣＭＹＫの各チャンネルの大きさが、ＣＭＹＫの各トナーの載り量に相当するからである。
【００２１】
図５は特定の画素について、ＣＭＹＫの各チャンネルの大きさを、ＣＭＹＫの各トナーの載り量に変換した例を示している。各色８ｂｉｔで表現されるＣＭＹＫの描画データから、５０１の画素を取り出し、この画素５０１における各チャンネルの大きさ５０２を得る。各色８ｂｉｔのＣＭＹＫの描画データであることから、画素５０１におけるＣＭＹＫの各トナーの載り量は、５０２で得た値から５０３の結果を得ることができる。
【００２２】
ステップＳ３０１では、図６で示すように、前記４０２の領域に対して、取り込まれた電子文書データを、グレースケールなどを用いて単一色の強弱によって表示を行う。これは、のちの操作で特色記録剤を用いて印刷する設定を行う際に、その特色記録剤が印刷される箇所の視認性を向上させるためである。
【００２３】
ステップＳ３０２では、特色記録剤を印刷する設定が行われたか否かを判定する。本実施形態において、特色記録剤を印刷する領域を決める設定方法の具体例については図７に示す。
【００２４】
例えば、図７の７０１に示すようなアノテーション形式のスタンプのオブジェクトを有する表示画面がある。このオブジェクトの中からユーザがヒューマンインターフェースデバイス２０２を介して指定したスタンプを、ドラッグ＆ドロップ等の操作によって、出力対象である画像データ内に移動させる。このようにして、特色記録剤を用いて印刷する領域を設定することができる。
【００２５】
例えば、７０２のスタンプをドラッグし、７０３、７０４、７０５といった任意の位置にドロップすることで、スタンプのオブジェクトを載せることができる。なお、特色記録剤を印刷する設定はスタンプのような点在させる設定に限らず、全面を装飾するようなテンプレートが用意されていてもよい。
【００２６】
ステップＳ３０３では、ステップＳ３０２で設定された、特色記録剤を載せる箇所に対して、光沢段差の算出処理を行う。ステップＳ３０３における処理の詳細について、図８のフローチャートを使って説明する。
【００２７】
ステップＳ８０１では、特色記録剤を印刷する設定がなされた領域であるオブジェクトの、特定のポイントを抽出する。特定のポイントの抽出方法として、例えば図８の８Ａに示すようにスタンプのオブジェクトであれば、そのグラフィックスを構成する制御点を前記ポイントとすればよい。なお、全画素について特色記録剤の載り量を求めずに、予め設定された特定のポイントのみに対して特色記録剤の載り量を求めるのは、処理の高速化のためである。
【００２８】
ステップＳ８０２では、前記ポイントにおけるＣＭＹＫ各トナーの載り量を取得する。特定のポイントにおけるＣＭＹＫ各トナーの載り量の取得方法は、前記図５で示した通りである。
【００２９】
ステップＳ８０３では、印刷対象プリンター（画像形成装置）として選択されているプリンター（図７の７０６で指定）の最大載り量を取得する。プリンターごとの最大載り量は、図９に示すように、プリンターごとの最大載り量がわかるプロファイルを画像処理装置が保持しており、そのプロファイルを参照して取得する。
【００３０】
ステップＳ８０４では、ステップＳ８０３で取得したプリンターの最大載り量から、ステップＳ８０２で取得したＣＭＹＫ各トナーの載り量の合計を差し引き、特色記録剤を載せることのできる載り量を算出する。ただし、特色記録剤の最大載り量は１００％であり、前記差し引きが１００％を超える場合においても、特色記録剤の載り量は１００％である。
【００３１】
ステップＳ８０５では、各ポイントにおいて算出された特色記録剤の載り量の標準偏差を求め、その標準偏差が予め設定されていた値より小さければ、各ポイントにおける特色記録剤の載り量のばらつきが少ないとして、ステップＳ８０７の処理に進む。一方、算出された標準偏差が予め設定されていた値より大きければ、各ポイントにおける特色記録剤の載り量のばらつきが多いとして、ステップＳ８０６の処理に進む。なお、「予め設定されていた値」は、本画像処理装置において予め設定されていてもよいし、ユーザから設定されてもよい。
【００３２】
ステップＳ８０６は、ステップＳ８０５において、各ポイントの特色記録剤の載り量の標準偏差が予め設定されていた値より大きいと判断された後の処理である。よって、ステップＳ８０６では、図８の８Ｂに示すようにポイントを結んでオブジェクトを分割し、分割したそれぞれのオブジェクトにおいて再度ステップＳ８０１〜Ｓ８０５を実行する。
【００３３】
なお、オブジェクト内にて、分割前に特色記録剤の載り量を算出したポイントの数が３つ以下などであるために分割の余地がない場合は、ステップＳ８０５の判定がＮｏの基準であっても、ステップＳ８０７に進めるとしてもよい。また、処理の高速化の観点から、ステップＳ８０５によるループ回数を制限し、所定の回数に達した場合には、ステップＳ８０５の判定がＮｏの基準であっても、ステップＳ８０７に進めるとしてもよい。
【００３４】
ステップＳ８０７では、各ポイントの特色記録剤の載り量を平均したものを、オブジェクト範囲全体の特色記録剤の載り量とする。なお、ステップＳ８０６でオブジェクトが分割されている場合は、分割後のそれぞれのオブジェクトで特色記録剤の載り量を持たせるものとする。特色記録剤の載り量算出処理の終了後、ステップＳ３０４に戻る。
【００３５】
ステップＳ３０４では、ステップＳ３０３で算出した特色記録剤の載り量について、その特色記録剤の載り量が１００％未満になるかどうかを判定する。また、ステップＳ３０３でオブジェクトが分割されている場合は、それぞれのオブジェクトごとに本判定処理を行う。そして、特色記録剤の載り量が１００％未満になる場合はステップＳ３０６に進む。また、特色記録剤の載り量が１００％の場合はステップＳ３０５に進む。
【００３６】
そして、ステップＳ３０５へ進んだ場合と、ステップＳ３０６へ進んだ場合とで、プレビュー時に用いる色を変える。  
【００３７】
つまり、ステップＳ３０５（このとき、特色記録剤の載り量は１００％である）では、特色記録剤を用いて印刷を行う箇所に対して第１の色である緑色を用いて表示を行う（第１の表示形態）。例えば、図１０の１００１が、特色記録剤の載り量が１００％になる領域であったとすると、この領域をプレビューする際には、第１の色である緑色を用いる。
【００３８】
一方、ステップＳ３０６（このとき、特色記録剤の載り量は１００％未満であり、十分に特色記録剤が付加されない）へ進んだ場合、特色記録剤を用いて印刷を行う箇所に対して、第１の色である緑色とは異なる色を用いて表示を行う（第２の表示形態）。つまり、第２の色である黄色や、第３の色である赤色を用いて表示を行う。これは、特色記録剤の載り量の制限量の大きさに応じて、プレビューに用いる色を変更して表示するためである。この時のプレビューに用いる色の決定を行うために、先のステップＳ６０３で算出した特色記録剤の載り量を用いる。例えば、図１０の１００２は、特色記録剤の載り量制限には抵触しているが、その制限される量は小さい（例えば、特色記録剤の載り量は５０％〜１００％未満）。よって、特色記録剤の載り量の制限量が小さいことを表現する黄色を用いてプレビューを行う。また、図１０の１００３は特色記録剤の載り量制限に抵触しており、さらに制限される量も大きい（例えば、特色記録剤の載り量は０％〜５０％）。よって、特色記録剤の載り量の制限量が大きいことを表現する赤色を用いてプレビューを行う。このようにして、特色記録剤を用いて印刷を行う箇所を、特色記録剤の載り量の度合いに応じて、複数の表示形態を用いて表示する。
【００３９】
本実施形態では、色決定によって場合分けを行ない、第１の色を緑色、第２の色を黄色、第３の色を赤色とした。しかし、色決定による場合分けは第１の色、第２の色、第３の色までに限らず、特色記録剤が制限される量を細分化するために、第４の色、第５の色を用いて表示しても良い。また、色に限らず、領域表示するパターンによって場合分けを行うために、複数のパターン（第１のパターン、第２のパターン、第３のパターン等）を用いて、場合分けを行ってもよい。この場合、異なるパターンがプレビュー上で区別できるように、表示時の表示形態が異なればよい。
【００４０】
以上により本実施形態を用いると、１パス特色印刷を行うことを前提とした印刷データの編集作業を行う場合において、特色記録剤を用いた印刷をする箇所に対して特色記録剤の載り量が上限値に抵触するか否かを確認しながら編集作業を行うことが可能である。また、前記特色記録剤の載り量が上限値に抵触した場合でも、その制限される量の度合いを確認しながら編集作業を行うことが可能である。
【００４１】
［実施形態２］
実施形態１のステップＳ３０２おいては、ユーザがヒューマンインターフェースデバイス２０２を介して指定したスタンプのオブジェクトを、ドラッグ＆ドロップ等の操作によって、出力対象である画像データ内に移動させる操作を行う。実施形態２では、このステップＳ３０２の操作を行う際に、ユーザによるスタンプのオブジェクトのドラッグ＆ドロップの操作に対する利便性をより向上させるために、以下に記載するようなオブジェクトの表示手段とオブジェクトの編集手段を提供するものである。
【００４２】
例えば、図１１の１１０１と１１０２に示すように、オブジェクトのドラッグ操作中を想定する。その箇所にドロップした場合の特色記録剤の載り量をステップＳ３０３の要領で算出し、前記ドラッグ中のオブジェクトを、ステップＳ３０４の条件に合わせて、ステップＳ３０５およびステップＳ３０６の方法で色分けして表示する。つまり、オブジェクトのドラッグ操作中にステップＳ３０３の特色記録剤の載り量算出処理をリアルタイムに行う。
【００４３】
もしくは、図１２の１２０１に示すように、画像データ全体に対して、領域別に特色記録剤の載り量がわかるように表示する。例えば、画像データを縦方向１００区分、横方向１００区分の区画に区切り、区画ごとの特色記録剤の載り量をステップＳ３０３の要領で算出し、全区画をステップＳ３０４の条件に合わせて、ステップＳ３０５およびステップＳ３０６の方法で色分けする。さらに、図１２の１２０２と１２０３に示すように、前記画像データに上塗りするように、区画ごとに前記色分けした色を透明化して表示する。
【００４４】
さらには、オブジェクトをドロップした箇所が、特色記録剤の載り量制限に抵触する領域であった場合、載り量制限に抵触しないもっとも近傍の箇所にオブジェクトを自動的に移動させる編集モードがあっても良い。例えば、図１１の１１０２に示すような箇所にオブジェクトがドロップされた場合、自動的に１１０３に示すような箇所までオブジェクトを移動させる。
【００４５】
以上により、ユーザは特色設定用のオブジェクトのドラッグ操作中に、特色設定用のオブジェクトを付加するよう指定した箇所が、載り量制限に抵触する箇所であるかどうかをオンタイムで判断することができる。また、特色設定用のオブジェクトを載り量制限に抵触する箇所にドロップした場合でも、載り量制限に抵触しない箇所まで自動的に移動させるので、必ず１パス特色印刷を行いたいユーザはスピーディーな編集作業が可能となる。
【００４６】
［実施形態３］
実施形態１のステップＳ３０６は、現在選択中の印刷対象プリンターを用いたときの特色記録剤の載り量が１００％未満である場合に、特色記録剤を用いて印刷を行う箇所に対して、第２の色である黄色や、第３の色である赤色による表示を行った。実施形態３では、複数種類のプリンターが画像処理装置に接続されている場合を想定し、前記特色記録剤を用いて印刷を行う箇所に対しての特色記録剤の載り量をプリンター別に表示する表示手段を提供する。
【００４７】
例えば、図１３の１３０１に示すように、特色設定用のオブジェクトにカーソルが合った場合に、画像処理装置に接続されている全てのプリンターにおける特色記録剤の載り量を一覧表示する。つまり、画像処理装置に接続されている全てのプリンターに対して、ステップＳ３０３の特色記録剤の載り量算出処理を行い、プリンター別に特色記録剤の載り量を表示する。
【００４８】
以上により、ユーザはプリンター別の載り量制限の抵触状態を知ることができるので、プリンターを切り替えて印刷するかどうかの判断を行うことが可能となる。
［その他の実施形態］
本発明の各工程は、ネットワーク又は各種記憶媒体を介して取得したソフトウエア（プログラム）をパソコン等の処理装置（ＣＰＵ、プロセッサ）にて実行することでも実現できる。
【符号の説明】
【００４９】
２０１  ＣＰＵ
２０２  ヒューマンインターフェースデバイス（ＨＩＤ）
２０３  ディスプレイ
２０４  ハードディスク
２０５  ＲＯＭ
２０６  ＲＡＭ
２０７  データ処理装置
【図２】
2014017576.tif 000003
【図３】
2014017576.tif 000004
【図４】
2014017576.tif 000005
【図８】
2014017576.tif 000006
【図９】
2014017576.tif 000007
【図１】
2014017576.tif 000008
【図５】
2014017576.tif 000009
【図６】
2014017576.tif 000010
【図７】
2014017576.tif 000011
【図１０】
2014017576.tif 000012
【図１１】
2014017576.tif 000013
【図１２】
2014017576.tif 000014
【図１３】
2014017576.tif 000015